(57)【特許請求の範囲】
【請求項１】
下方向に湾曲した下辺と、前記下辺の脇側端部から上辺に向かって立ち上がった側辺と、前記下辺の胸元側端部から前記側辺の上端に至る上辺とを有し、バストを収納するように構成された左右一対のブラジャーカップと、
前記ブラジャーカップの表面から分離して該ブラジャーカップを表面側から覆うように配設されたカップ被覆布と、
カップ被覆布の左右両側から着用者の背面を覆うように設けられた背面部と、
カップ被覆布から背面部に至るストラップとで構成されている婦人下着であって、
ブラジャーカップの脇側端部から胸元側端部に至る下辺だけがカップ被覆布の下縁に縫着され、
前記側辺と上辺とがカップ被覆布に対してフリーに設けられ、
左右のブラジャーカップの対向部分がカップ連結布にて更に接続されており、
前記カップ被覆布は、ブラジャーカップを上から被覆する被覆布本体と、被覆布本体の上辺に縫着された上辺補強布で構成され、
一方の上辺補強布の下端部分が他方の上辺補強布の下端部分に重ね合わされ、前記下端部分が、カップ連結布の下辺に縫着されていることを特徴とする婦人下着。
【請求項２】
請求項１に記載の婦人下着において、
カップ被覆布とブラジャーカップの間にリフトアップ布が更に設けられ、
前記リフトアップ布の下辺は、カップ被覆布の胸元側端部とカップ被覆布の最下点との間の点を起点とし、少なくともカップ被覆布の脇側端部に至る範囲でカップ被覆布の下縁に縫着され、且つ前記リフトアップ布の上端である脇側上端は、ストラップに、又は前記脇側端部からストラップとカップ被覆布との接続部までの間において、カップ被覆布に取り付けられ、
前記リフトアップ布の上辺は、カップ被覆布とブラジャーカップに対してフリーに設けられ、且つ、ブラジャーカップの最も高いトップ位置、又は前記トップ位置の下を通るように設けられていることを特徴とする婦人下着。
【請求項３】
請求項１又は２に記載の婦人下着において、
上辺補強布の下端部分の重なり部分がカップ連結布を覆うように設けられていることを特徴とする婦人下着。
【発明の詳細な説明】
【技術分野】
【０００１】  本発明は、ブラジャーやキャミソールのようなブラジャーカップを有する婦人下着に関する。
【背景技術】
【０００２】  ブラジャーカップを有する婦人下着に於いて、ブラジャーカップの重要な機能として、ブラジャーカップに収納されたバストを胸部中央側に寄せ、且つ上方へ押し上げて豊かなバストラインを形成するという補整機能がある。  特許文献１のブラジャー１００（図１８（ａ）、（ｂ））は、ブラジャーカップ１１０の内側にバストＢを収納できる大きさで、ブラジャーカップ１１０より若干小さくて内側に収納され、外部に露出しない大きさのパッド１３０を備えている。このパッド１３０は、図から分かるように、その下辺１３１（薄墨で示した部分）がバージスラインＶの最下点Ｐに該当する位置を含んで土台布１４０に縫着され、更にパッド１３０の上辺１３３の、ストラップ１１５に向かって伸びている脇側上部１３２がストラップ１１５に連結されている。従って、前記脇側上部１３２以外のパッド１３０の上辺１３３、及び前記下辺１３１の脇側の縫着端１３１ａからストラップ１１５に至る辺１３１ｂが、ブラジャーカップ１１０からフリーとなっている。そして、このパッド１３０は、収納されたバストＢを胸部中央寄りの上方へ寄せ上げる役目を有するので、パッド１３０の下半分１３４は上半分１３５より分厚く形成されている。パッド１３０の下半分１３４を円に囲まれた斜め格子で示す。【０００３】  上記パッド１３０の外面は、ブラジャーカップ１１０の内面から分離しているものの、上記のようにその下辺１３１が、バージスラインＶの最下点Ｐに該当する位置を含んで土台布１４０に縫着され、且つパッド１３０の脇側上部１３２がストラップ１１５に連結されているため２点支持となり、この特許文献１のブラジャー１００を着用すると、ストラップ１１５の引き上げ力によって、パッド１３０がブラジャーカップ１１０と共に脇側上方（肩方向）に引き上げられる（図１８における白抜き矢印の方向）。そして、このストラップ１１５の引き上げ力により、パッド１３０がバストＢに密着し、且つ、パッド１３０がバストＢを脇側下方から胸元側に向かって（図１４における黒矢印で示す方向）掬い上げると共にパッド１３０の分厚く形成された下半分１３４でバストＢを押し上げる。このパッド１３０はバスト押し上げ機能を有すると同時に、次に述べる特許文献２のリフトアップ布２２０の吊り上げ機能も兼備する。【０００４】
特許文献２のブラジャー２００は、バストＢを収納するブラジャーカップ２１０の裏面側に伸縮性の乏しいバスト吊り上げのためのリフトアップ片２２０が重ね合わせて設けられている（図１９（ａ）（ｂ））。このリフトアップ片２２０の下辺２２１は、ブラジャーカップ２１０の下辺２１１に全長に亘って縫着され、更にリフトアップ片２２０の脇側上部２２２がストラップ２１５に縫着されている。
【０００５】  このブラジャー２００を着用すると、ストラップ２１５によってリフトアップ片２２０の脇側上部２２２がブラジャーカップ２１０と共に吊り上げられ、ブラジャーカップ２１０内のバストＢが胸部中央寄りの上方へ寄せ上げられると共に豊かに盛り上げられる、としている。なお、リフトアップ片２２０は、バストＢを豊かに盛り上げるためのパッド２３０を収納するパッド挿入ポケット２２３が設けられている。
【先行技術文献】
【特許文献】
【０００６】
【特許文献１】特許６０５１６１８号公報
【特許文献２】特開２００８−５０７３５号公報
【発明の概要】
【発明が解決しようとする課題】
【０００７】  上記ブラジャー１００・２００は、いずれもパッド１３０の脇側上部１３２や、リフトアップ片２２０の脇側上部２２２がストラップ１１５・２１５に接続されているためにバストＢの効果的な吊り上げが可能である。しかしながら、この部分のストラップ１１５・２１５への接続によって、前者にあってはパッド１３０がストラップ１１５との接続点において、外側のブラジャーカップ１１０に拘束され、後者にあってはストラップ２１５との接続点において、リフトアップ片２２０が外側のブラジャーカップ２１０に拘束されることになる。  その結果、上記ブラジャー１００・２００を着用した人が体を動かすとストラップ１１５・２１５と共にブラジャーカップ１１０・２１０が動き、バストＢを収納したパッド１３０やリフトアップ片２２０がストラップ１１５・２１５に引っ張られてブラジャーカップ１１０・２１０と共に動く。【０００８】  そしてこの動きによって、収納されているバストＢがパッド１３０やリフトアップ片２２０からはみ出したり、バージスラインＶからパッド１３０やリフトアップ片２２０の下辺１３１・２２１がずれ上がったりすることがある。特に、パッド１３０やリフトアップ片２２０の下辺１３１・２２１にワイヤー（図示せず）を挿入していないワイヤーレスの場合は顕著である。  なお、引用文献２の場合、リフトアップ片２２０がバストＢを下から部分的に直接吊り上げているため、上記のような体の移動でバストＢが変形しやすい。【０００９】  本発明は、上記従来例に鑑みてなされたもので、どのような体の動きに対してもバストを収納するブラジャーカップのずり上がりや、バストのブラジャーカップからのはみ出しのない婦人下着を提供することを課題とする。
【課題を解決するための手段】
【００１０】
本発明のブラジャーカップ１を有する婦人下着Ａは、例えば、ブラジャーＡ１・Ａ１’’・Ａ２、キャミソールＡ１’などである。第１の発明は、該婦人下着Ａの第１実施形態（リフトアップ布４０なし  図１〜図７）で、
下方向に湾曲した下辺２と、前記下辺２の脇側端部Ｐ１から上辺３に向かって立ち上がった側辺４と、前記下辺２の胸元側端部Ｐ２から前記側辺４の上端Ｐ３に至る上辺３とを有し、バストＢを収納するように構成された左右一対のブラジャーカップ１と、
前記ブラジャーカップ１の表面から分離して該ブラジャーカップ１を表面側から覆うように配設されたカップ被覆布２０と、
カップ被覆布２０の左右両側から着用者の背面を覆うように設けられた背面部７と、
カップ被覆布２０から背面部７に至るストラップ３０とで構成されている婦人下着Ａであって、
ブラジャーカップ１の脇側端部Ｐ１から胸元側端部Ｐ２に至る下辺２だけがカップ被覆布２０の下縁２２に縫着され、前記側辺４と上辺３とがカップ被覆布２０に対してフリーに設けられ、
左右のブラジャーカップ１の対向部分がカップ連結布５０にて更に接続されており、
前記カップ被覆布２０は、ブラジャーカップ１を上から被覆する被覆布本体２０ａと、被覆布本体２０ａの上辺２１ａに縫着された上辺補強布２９で構成され、
一方の上辺補強布２９ａの下端部分２９ｃが他方の上辺補強布２９ｂの下端部分に重ね合わされ、前記下端部分２９ｃ（２９ｄ）が、カップ連結布５０の下辺に縫着されていることを特徴とする。
【００１１】
上記の婦人下着Ａは、ブラジャーカップ１の下辺２だけがカップ被覆布２０の下縁２２に縫着され、前記側辺４と上辺３とがカップ被覆布２０に対してフリーに設けられているので、着用時、ブラジャーカップ１はカップ被覆布２０の動きに対して拘束されず、ブラジャーカップ１のずり上がりや、バストＢのブラジャーカップ１からのはみ出しを回避できる。
そして上記婦人下着Ａを着用した時、吊り上げ力によってバストＢを収容した左右のブラジャーカップ１が左右に広がろうとするが、これに抗してカップ連結布５０が左右のブラジャーカップ１の左右への広がりを防止する。
また、上記婦人下着Ａの着用時、上辺補強布２９ａ（２９ｂ）に働く左右の肩方向への吊り上げ力の合成力は、カップ連結布５０の下辺２９ｎを上に持ち上げることになり、カップ連結布５０のブラジャーカップ１のカップ持ち上げ効果を補強する。
【００１２】  第２の発明は、第１実施形態の変形例（リフトアップ布４０が更に設けられている）である婦人下着Ａ（図８〜１０）である。即ち、請求項に記載の婦人下着Ａ（Ａ１’’）において、  カップ被覆布２０とブラジャーカップ１の間にリフトアップ布４０が更に設けられ、  前記リフトアップ布４０の下辺４２は、カップ被覆布２０の胸元側端部Ｐ２とカップ被覆布２０の最下点Ｐとの間の点Ｑを起点とし、少なくともカップ被覆布２０の脇側端部Ｐ１に至る範囲でカップ被覆布２０の下縁２２に縫着され、且つ前記リフトアップ布４０の上端である脇側上端４１は、ストラップ３０に、又は前記脇側端部Ｐ１からストラップ３０とカップ被覆布２０との接続部（ストラップ接続部２３ａ）までの間において、カップ被覆布２０に取り付けられ、  前記リフトアップ布４０の上辺４３は、カップ被覆布２０とブラジャーカップ１に対してフリーに設けられ、且つ、ブラジャーカップ１の最も高いトップ位置Ｋ、又は前記トップ位置Ｋの下を通るように設けられていることを特徴とする。【００１３】  上記の婦人下着Ａは、上辺３と側辺４とがフリーなブラジャーカップ１にて下からバストＢを包み込むようにして吊り上げることができ、形の良いバストアップを実現する。【００１８】
第３の発明は、本発明の変形例で、請求項１又は２の婦人下着Ａにおいて、
上辺補強布２９ａ・２９ｂの下端部分２９ｃ・２９ｄの重なり部分２９ｋがカップ連結布５０を覆うように設けられていることを特徴とする。
【００１９】  これにより、カップ連結布５０が外から見えず、カップ連結布５０を設けたにも拘わらず婦人下着Ａの外観を損なわない。
【発明の効果】
【００２０】  本発明の婦人下着によれば、カップ被覆布からブラジャーカップを分離して設けることにより、ブラジャーカップをカップ被覆布から独立させることが出来る。これにより婦人下着の着用者が体を動かしたり曲げたりした時に、カップ被覆布は体の動きや曲げ、反りなど動きに合わせたストラップの吊り上げや緩みによって移動する。一方、カップ被覆布から独立したブラジャーカップはカップ被覆布の動きに拘束されずバストに密着してずれない。【００２１】  また、リフトアップ布をブラジャーカップの外側の上記位置に設けることで、リフトアップ布はバストを収納したブラジャーカップ全体を下から吊り上げることになり、自然な丸みのバスト補整が可能となった。  加えて、上辺補強布とカップ連結布で着用時のブラジャーカップの横への広がりを防止できる。
【図面の簡単な説明】
【００２２】
【図１】本発明の第１実施形態（リフトアップ布なし）のブラジャーを着用した状態示す斜視図である。
【図２】図１に示すブラジャーの使用状態において、その中央を縦断面した図とその部分拡大図である。
【図３】図２のブラジャーカップの中央縦断面図である。
【図４】第１実施形態に係るブラジャーの正面図である。
【図５】背面部の一部を切除した図３の背面図である。
【図６】（ａ）は図４のブラジャー分解図、（ｂ）はブラジャーカップの縦断面図、（ｃ）はカップ被覆布の他の例（１枚もの）の正面図である。
【図７】本発明の第１実施形態の変形例であるキャミソール着用状態を示す斜視図である。
【図８】（ａ）は本発明の第１実施形態の変形例（リフトアップ布あり）のブラジャーを着用した状態示す斜視図、（ｂ）はリフトアップ布の斜視図、（ｃ）がリフトアップ布の拡大図である。
【図９】図８に示すブラジャーの使用状態の中央を縦断面した図とその拡大図である。
【図１０】図９のブラジャーカップの中央縦断面図である。
【図１１】本発明の第２実施形態（カップ連結布）のブラジャーを着用した状態示す斜視図である。
【図１２】図１１のブラジャーのカップ被覆布を取り外した状態示す斜視図である。
【図１３】図１１のブラジャーの分解図である。
【図１４】図１１のブラジャーに使用されるブラジャーカップの縦断面図である。
【図１５】図１１に示すブラジャーの使用状態の中央縦断面図である。
【図１６】第２実施形態に係るブラジャーの正面図である。
【図１７】背面部の一部を切除した図１６の背面図である。
【図１８】（ａ）は特許文献１記載のブラジャーの背面図、（ｂ）はその縦断面図である。
【図１９】（ａ）は特許文献２記載のブラジャーの背面図、（ｂ）はその縦断面図である。
【発明を実施するための形態】
【００２３】  以下、本発明の婦人下着Ａについて例をあげて説明する。本発明の婦人下着Ａには、例えば、ブラジャータイプのもの、キャミソールタイプのもの、その他でブラジャーカップ１を有する下着がすべて含まれる。本明細書ではブラジャータイプのもの、キャミソールタイプのものを例として挙げた。そして、その第１実施形態のものとして、リフトアップ布４０を用いないもの、その変形例としてリフトアップ布４０を用いるもの、第２実施形態は第１実施形態のものにおいて、カップ連結布５０や、上辺補強布２９を用いたものがある。
【００２４】（第１の実施形態）  本発明の婦人下着Ａの第１実施形態を図１〜図７に示す。第１実施形態の婦人下着Ａの例は、ブラジャーＡ１又はキャミソールＡ１’である。まず、ブラジャーＡ１から説明する（図１〜図６）。  ブラジャーＡ１は、左右一対のブラジャーカップ１、カップ被覆布２０、必要に応じて用いられる土台布１０、背面部７（図の実施例では、サイドベルト１１・１２）及びストラップ３０とで構成されている。
【００２５】  ブラジャーカップ１は、バストＢを直接覆い、或いは太っている人の場合は背中から寄せ集められた贅肉を含むバストＢを収納するためのもので、表面側に椀状に膨出しており、その下辺２は下方向に湾曲し、着用者のバージスラインＶに沿う。下辺２の最下点をＰで示す。側辺４は外側に大きな半径で湾曲した弧状態で、下辺２の脇側端部Ｐ１から上辺３に向かって立ち上がる。上辺３は側辺４の上端Ｐ３と下辺２の胸元側端部Ｐ２との間の辺で、本実施例ではＳ字状のスネークラインを描いている。上辺３は、上辺を３〜４等分した時に、上端Ｐ３から１／３〜１／４離れた地点Ｐ４（胸元側端部Ｐ２から２／３〜３／４の地点）が曲がり方向が変わる部分（変曲部分）で、上端Ｐ３から地点Ｐ４までの短い辺の部分が緩い上向きのカーブを描き、胸元側端部Ｐ２から地点Ｐ４までの長い辺の部分が大きな上向きのカーブを描く。両上向きのカーブは地点Ｐ４で下向きのカーブに滑らかに繋がっている。
【００２６】  上記下辺２、上辺３及び側辺４は円弧で滑らかに繋がれている（図６参照）。脇側端部Ｐ１から胸元側端部Ｐ２に至るブラジャーカップ１の下辺２は、その全体が後述するカップ被覆布２０の下縁２２に縫着される。
【００２７】  ブラジャーカップ１の形状はバストＢに合わせてさまざまな形状、例えば、図示していないが貝殻状や図６に示すようなハート形がある。
【００２８】  ブラジャーカップ１の厚みは図６（ｂ）に示すように、中央部分が厚く、周辺に向かってその肉厚が漸減し（ほぼ均等に薄くなっており）、表面側になだらかに膨らんでいる。ブラジャーカップ１の表面の最も高いトップ位置をＫで示す。トップ位置Ｋの背面近傍が乳首を収納する部分となる。  ブラジャーカップ１の他の実施例は、図１４に示すように上半分１ｅは図６（ｂ）に示すように上辺３に向かってその肉厚が漸減しているが、下半分１ｄは上半分１ｅに比べて大きな厚みを有するようにした例である。
【００２９】  ブラジャーカップ１の素材は図２の拡大図で示すように、本実施形態では中層１ｂが発泡材で、その表・裏面層１ａ・１ｃとして薄い織布が張り付けられている三層構造のシート状の発泡体積層生地（フォーム・ラミネーティド・ファブリック又はフォーム・バックド・ファブリック）である。図示していないが、薄い織布は表面層だけでも良い。発泡材は本実施例ではウレタン樹脂が使用されている。  ブラジャーカップ１の成形に当たっては、発泡体積層生地の原反を適切な大きさに裁断し、金型にて加圧加熱成形し、不要部分を切除して予定された形状に成形する。勿論、ブラジャーカップ１の素材はこれに限定されず、不織布、ダブルラッセル等、その他公知の素材を使用することができる。
【００３０】
カップ被覆布２０は、ブラジャーカップ１の全体を覆うように配設される薄い布で、図６（ａ）のように、２パーツで構成される場合と、図６（ｃ）のように１パーツで構成される場合とがある。２パーツで構成される場合、接合部分を縫着すれば、図６（ｃ）と同じ形状になる。
【００３１】
まず、２パーツで構成される場合に付いて説明する。この場合、カップ被覆布２０は、上側パーツ２３、下側パーツ２４とで構成され、素材としては、伸びが少なく、金型による加熱加圧成形のできないような、例えば、レース生地が用いられている。上側パーツ２３と下側パーツ２４の接合部分を縫着して、ブラジャーカップ１に沿うように表面側に膨らんだ形状にする。
【００３２】
カップ被覆布２０は上辺２１、下縁２２、及び袖刳り２５の一部（前側）を構成する辺２５ａを有する。前記下縁２２は図１から分かるように、バージスラインＶに沿った下向きＵ形で、その端部を袖刳り側端部２２ａ、及び連結端部２２ｂとし、最下点をＰとする。左右のカップ被覆布２０は連結端部２２ｂで接続されている。前記袖刳り２５の一部を構成する辺２５ａは、袖刳り側端部２２ａから上に立ち上がり、ストラップ接続部２３ａに至る辺で、ストラップ接続部２３ａと連結端部２２ｂとの間の辺が上辺２１である。
カップ被覆布２０の下縁２２はブラジャーカップ１の下辺２より長く、カップ被覆布２０の下縁２２の袖刳り側端部２２ａと連結端部２２ｂとの間にブラジャーカップ１の下辺２が縫着されている。カップ被覆布２０の下縁２２に対するブラジャーカップ１の下辺２の縫着範囲は脇側端部Ｐ１から胸元側端部Ｐ２である。
【００３３】  ２ピースで構成された本実施例のカップ被覆布２０の上側パーツ２３と下側パーツ２４は縫着により形成されているが、縫着ラインの下側縫着点Ｑは、胸元側に向かって最下点Ｐを越え、連結端部２２ｂに至るまでの中間の位置（本実施例では、最下点Ｐから連結端部２２ｂに至るまでの中間点）に取り付けられる。下側縫着点Ｑの具体的位置は、例えば、最下点Ｐに該当する位置から２ｃｍ〜４ｃｍの範囲が好ましく、より好ましくは、１ｃｍ〜３ｃｍの範囲である。  上側パーツ２３と下側パーツ２４の縫着ラインの上側縫着点Ｓは、下縁２２の袖刳り側端部２２ａとストラップ接続部２３ａとの中間地点に取り付けられる。
【００３４】  カップ被覆布２０の上側パーツ２３は、図４の太い矢印で示すように、ストラップ接続部２３ａに向かって斜め上方向（肩方向）に伸びやすく、その直角方向は前記斜め上方向に比べて伸びにくい。下側パーツ２４も同様で、最下点Ｐから袖刳り２５に向かう長手方向の伸びが、その直角方向より伸びやすく、カップ被覆布２０は、全体として上辺２１に平行なストラップ接続部２３ａに向かう方向の方が、これに直角方向より伸縮性に富む。一枚もののカップ被覆布２０も同様で、図６（ｃ）に示すように、ストラップ接続部２３ａに向かって斜め上方向に伸びやすく、その直角方向は前記斜め上方向（肩方向）に比べて伸びにくい。
【００３５】
カップ被覆布２０はブラジャーカップ１の全表面を覆うように配設され、ブラジャーカップ１の表面から分離している。ブラジャーカップ１の上辺３と側辺４はカップ被覆布２０に縫着されず、ブラジャーカップ１の下辺２のみがカップ被覆布２０の下縁２２に縫着されている。ブラジャーカップ１の下辺２の縫着範囲は上記のように脇側端部Ｐ１から胸元側端部Ｐ２迄で、カップ被覆布２０の袖刳り２５の内側で脇側端部Ｐ１から側辺４が上方向に立ち上がっている。
【００３６】
本実施形態のブラジャーＡ１はカップ被覆布２０の下縁２２に前面部５となる土台布１０が縫着されている。土台布１０は、例えば、図１や図６（ａ）に示すように、連結された前記左右のカップ被覆布２０の下縁２２に縫着されるＷ形の縫着辺１３が設けられたもので、土台布１０から左右に背面部７となるサイドベルト１１・１２が伸びている。
【００３７】  図の実施形態では土台布１０とサイドベルト１１・１２とは布地、又はレース地で構成されている。一方のサイドベルト１１の端部には雄側である係止部材１１ａ、他方のサイドベルト１２の端部には雌側である被係止部材１２ａが設けられている。そして、土台布１０、及びサイドベルト１１・１２は、図４の矢印で示すように、短手方向より長手方向の方が弾性を持ち伸縮性に富む。
【００３８】  本実施形態において、図２に示すように、カップ被覆布２０の下縁２２、ブラジャーカップ１の下辺２、及び土台布１０の縫着辺１３、及び非伸縮性のテープ２８が重ね合わされて縫着され、Ｗ形の細い線状のカップ支持部１４が形成されている。カップ支持部１４は分厚く柔軟に曲がるが長手方向の伸縮性はない。それ故、カップ支持部１４にはワイヤーが設けられていない。  なお、図４の実施例では土台布１０が設けられているが、左右のカップ被覆布２０の連結端部２２ｂ同士を接続し、非伸縮性のテープ２８を重ね合わせて縫着して強度を出し、土台布１０を省略する場合もある。図示していないがこの場合、サイドベルト１１・１２は、カップ被覆布２０の下縁２２で、袖刳り側端部２２ａから最下点Ｐに向かう辺に接続される。
【００３９】  ストラップ３０は、その一端が左右のカップ被覆布２０のストラップ接続部２３ａにそれぞれ接続され、その他端が各カップ被覆布２０に対応する各サイドベルト１１（１２）の上辺中央にそれぞれ接続されている。
【００４０】  次に、ブラジャーＡ１を着用した場合の作用に付いて説明する。前記ブラジャーＡ１を着用すると、係止部材１１ａと被係止部材１２ａで繋がれたサイドベルト１１・１２によって土台布１０が伸びて着用者の胴回りを軽く締め付け、ストラップ３０がカップ被覆布２０を太い矢印（図１参照）で示すように肩方向に吊り上げる。カップ支持部１４は両バストＢのバージスラインＶにそれぞれ入り込み、バストＢを下から支える。カップ支持部１４にはワイヤーが入っていないため、カップ支持部１４はバストＢのバージスラインＶにソフトに当たる。
【００４１】  ブラジャーカップ１は、カップ被覆布２０の内側に独立して配設されているので、カップ被覆布２０の上からの押さえによってバストＢに密着しバスト全体を包み込む。図３の場合、ブラジャーカップ１の厚みは、従来のパッド１３０のようにバストＢのバージスラインＶに近い下部を押圧するような厚肉部分（下半分１３４）がなく、上記のように全体に断面ほぼ半月状に形成されているので、ブラジャーカップ１に包み込まれたバストＢは部分的に押し込まれて変形するようなことがなく、自然な丸みを現出する。これと同時にカップ被覆布２０の吊り上げ作用により胸元側に寄せられ、豊かなバストラインを形成する。
【００４２】
着用者が体を捩じったり曲げたり反ったりすると、動きに合わせて胸部が変形する。ブラジャーＡ１のカップ被覆布２０はストラップ３０で肩に吊られているので、体の変形に合わせてカップ被覆布２０も引っ張られて変形する。一方、ブラジャーＡ１の土台布１０は、上記のように着用者の胴回りに固定されているので、動きによる体の変形に左程影響されず、カップ支持部１４はバ―ジスラインＶに入り込んでその位置で固定してバストＢを支え続けている。
ブラジャーカップ１の下辺２は縫着されてカップ支持部１４の一部を構成しているが、ブラジャーカップ１の上辺３及び側辺４は、カップ被覆布２０から分離してフリーなので、カップ被覆布２０に上から押さえつけられているものの、カップ被覆布２０の動きに拘束されず、バストＢを密着保持した状態でバストＢと共に動く。換言すれば、如何に体を動かしてもブラジャーカップ１はカップ被覆布２０から独立してバストＢを保持するので、ブラジャーカップ１からのバストＢのはみ出しがない。
【００４３】  加えて、カップ被覆布２０がストラップ３０に引っ張られたとしても、ブラジャーカップ１はストラップ３０やカップ被覆布２０によって直接引っ張られるようなことがなく、バストＢを独立して保持するので、ワイヤーレスにも拘わらず、カップ支持部１４がバ―ジスラインＶからずり上がるようなことがない。従って、本発明のブラジャーＡ１は、従来のブラジャー１００、２００に比べて体の動きに対して自由度が高まる。
【００４４】（第１の実施形態の変形例１）  本発明の第１の実施形態の変形例は、図７に示すように、婦人下着ＡがキャミソールＡ１’の場合である。ブラジャーカップ１及びカップ被覆布２０は、ブラジャーＡ１の場合と同じであるが、前面部５と背面部７が、前身頃１５と後身頃１７に代わる。前身頃１５の上辺１５ａは、カップ被覆布２０の下縁２２及びブラジャーカップ１の下辺２、非伸縮性のテープ２８に縫着されてカップ支持部１４を構成する。本実施例では、後身頃１７は前身頃１５の側縁１６に縫着されている。図示していないが、前身頃１５と後身頃１７とが一体になった筒状の物も有り、前身頃１５と後身頃１７を構成する部分は様々な形態がある。
【００４５】  ストラップ３０は、カップ被覆布２０のストラップ接続部２３ａと後身頃１７の所定位置に接続されている。着用時の作用効果は第１の実施形態と同じである。
【００４６】（第１の実施形態の変形例２）  この場合（ブラジャーＡ１’’）は、図８〜図１０に示すように、リフトアップ布４０が第１の実施形態に対して更に設けられた場合である。前記リフトアップ布４０は図８の引き出し矢印に示すように半月状のパーツで、ブラジャーカップ１とカップ被覆布２０との間に設けられている。リフトアップ布４０は、下辺４２、上辺４３及び上辺４３の上端（脇側上端４１）と下辺４２の上端を繋ぎ、袖刳り２５の一部（胸側）に縫着される袖刳り縫着辺４５とを有する。
【００４７】  前記リフトアップ布４０の下辺４２は、カップ被覆布２０の下側縫着点Ｑから婦人下着Ａ１’’の袖刳り２５に至る袖刳り側端部２２ａ至る範囲で縫着されている。そしてリフトアップ布４０の袖刳り縫着辺４５は、更に袖刳り側端部２２ａからストラップ接続部２３ａに至る辺全体（図示せず）に、或いは袖刳り側端部２２ａとストラップ接続部２３ａとの中間である脇刳中間位置Ｒまで縫着され、この縫着ラインによりカップ被覆布２０と一体になり、ブラジャーカップ１を下から掬い上げることができるように設けられている。リフトアップ布４０の上辺４３は、装着時、ブラジャーカップ１のトップ位置Ｋ、又はその下を通るように設けられている。そして、リフトアップ布４０は図８に示すように、その上辺４３に平行な長手方向が、これに対して直角な方向よりよく伸びる。  リフトアップ布４０の材質は、弾力性を持って伸縮する、例えば、上記のパワーネットが使われる。
【００４８】  次に、ブラジャーＡ１’’を着用した場合の作用に付いて説明する。ブラジャーカップ１の働きは、第１実施形態と同じであるが、この場合は更にリフトアップ布４０の作用が加わる。  即ち、ブラジャーカップ１は第１実施形態に示すようにカップ被覆布２０から分離していて、ブラジャーカップ１の上辺３及び側辺４がカップ被覆布２０に縫着されていないので、ブラジャーカップ１自体はカップ被覆布２０に対して独立してバストＢに密着してこれを保持する。
【００４９】  リフトアップ布４０自体は特許文献２に示すように既に知られてものであるが、本発明のリフトアップ布４０はブラジャーカップ１の外側で下辺２の近傍領域（即ち、下側縫着点Ｑからストラップ接続部２３ａ、或いは脇刳中間位置Ｒより下の領域でブラジャーカップ１の最も高い地点であるトップ位置Ｋを通る、又はこれを下回る領域）に設けられており、ブラジャーカップ１を下から掬い上げ、且つ内側に寄せるように働く。ブラジャーカップ１の掬い上げ作用は、ブラジャーカップ１の独立性を阻害せず、ブラジャーカップ１に収納されたバストＢを胸元側に寄せる働きを強化する。この時、リフトアップ布４０はブラジャーカップ１の外側に設けられているので、ブラジャーカップ１全体を吊り上げることになり、バストＢの丸みを保ったまま吊り上げることができる。
【００５０】  なお、この場合もキャミソールその他のブラジャーカップを有する婦人下着に適用することが出来る。
【００５１】  次に、本発明の第２実施例を図１１〜図１７に従って説明する。この場合も第１の実施形態と基本的に同じで、第１の実施形態とカップ被覆布２０の構造が異なり、カップ連結布５０が更に付加されている。本発明の第２実施例もリフトアップ布４０を用ない場合や、用いる場合があるが、いずれの第１の実施形態と同じであり、その説明を第２実施例にも適用する。
【００５２】  第１の実施形態のブラジャーカップ１は、その下辺２に於いてカップ被覆布２０の下縁２２やテープ２４、土台布１０に縫着され、ブラジャーカップ１同士は接続されていない。それ故、婦人下着Ａを着用すると、ストラップ３０にカップ被覆布２０が吊り上げられ、その下辺２でカップ被覆布２０に縫着されているブラジャーカップ１も若干左右に離れやすく（或いは、ブラジャーカップ１の上辺３の開き角度が大きく）なる。バストＢが豊かな場合はその傾向が強い。  そこで、カップ連結布５０が用いられる。カップ連結布５０は左右のブラジャーカップ１の上辺３の胸元側端部Ｐ２の近傍部分（対向部分）５１を連結する布である。カップ連結布５０はパワーネットのような伸縮性に富む布の２重折りのものが使われている。該カップ連結布５０は、左右のブラジャーカップ１の連結方向の伸びの方がこれに直交する方向より大きく、且つ弾性を伴ってよく伸びる。カップ連結布５０の両側辺は上記のように胸元側端部Ｐ２の近傍部分５１に縫着され、カップ連結布５０の下辺は土台布１０の左右の縫着辺１３の間の山形部分５２を含むその両側部分に於いて、Ｗ形の細い線状のカップ支持部１４に縫着されている。
【００５３】  カップ連結布５０は、左右のブラジャーカップ１同士を接続するものなので、ブラジャーカップ１の間から外部に露出する。そこでここではカップ被覆布２０の形状及び構造、取付位置を変えてカップ連結布５０を隠すようにした。
【００５４】  第２の実施形態のカップ被覆布２０は、図１３に示すように、被覆布本体２０ａと上辺補強布２９の２パーツで構成される。一例であるが、被覆布本体２０ａは１枚もので、パワーネットのような伸縮性に富む布で形成され、ストラップ接続部２３ａに向かう方向への伸びよりこれに直角な方向（下辺２１から上辺２０ｃに向かう方向）の方が弾性をもってよりよく伸びる布使いとなっている。（勿論、図１のように布使いを逆にしてもよい。）そして被覆布本体２０ａは、第１の実施形態のカップ被覆布２０より上辺部分が３〜４ｃｍ幅で切除され、被覆布本体２０ａの上辺２１ａはブラジャーカップ１の上辺３に一致する大きさに形成されている。必要であれば、被覆布本体２０ａは丸みを出すために金型で熱圧成形が施される。なお、被覆布本体２０ａは、図６（ｃ）のように１枚ものでも良いが、図６（ａ）のように２パーツで形成し、丸みを出すようにしてもよい。
【００５５】
上辺補強布２９は、上記のようにカップ連結布５０を上から覆い、外部に露出しないようにするのが主目的であるが、被覆布本体２０ａの上辺２１ａの補強の役目も合わせ持つ。上辺補強布２９の形状は、図１３に示すように２〜３ｃｍの幅で上に湾曲した弓形のパーツで、その上端が上に伸び、ストラップ接続部２３ａとなっている。上辺補強布２９の材質は、本実施例では上記のようにカップ連結布５０の隠蔽用であるから、パワーネットより伸びの低い布地、例えば、レース地が使用されている。
そして、該上辺補強布２９は被覆布本体２０ａの上辺２１ａに沿ってそれぞれ縫着され、一方の上辺補強布２９ａの下端部分２９ｃが他方の上辺補強布２９ｂの下端部分２９ｄに重ね合わされ、前記下端部分２９ｃ（２９ｄ）が、土台布１０の山形部分５２において、カップ連結布５０の下辺２９ｎを含むカップ支持部１４の当該部分に縫着される。
【００５６】
上辺補強布２９は、上記のようにカップ連結布５０を上から覆い、外部に露出しないようにするのが主目的であるが、被覆布本体２０ａの上辺２１ａの補強の役目も合わせ持つ。上辺補強布２９の形状は、図１３に示すように２〜３ｃｍの幅で上に湾曲した弓形のパーツで、その上端が上に伸び、ストラップ接続部２３ａとなっている。上辺補強布２９の材質は、本実施例では上記のようにカップ連結布５０の隠蔽用であるから、パワーネットより伸びの低い布地、例えば、レース地が使用されている。
そして、該上辺補強布２９は被覆布本体２０ａの上辺２１ａに沿ってそれぞれ縫着され、一方の上辺補強布２９ａの下端部分２９ｃが他方の上辺補強布２９ｂの下端部分２９ｄに重ね合わされ、前記下端部分２９ｃ（２９ｄ）が、土台布１０の山形部分５２において、カップ連結布５０の下辺２９ｎを含むカップ支持部１４の当該部分に縫着される。
なお、前記重ね合わせ部分２９ｋは、丁度、カップ連結布５０を上から覆う大きさである。
【００５７】  この婦人下着Ａ２を着用すると、左右の上辺補強布２９が被覆布本体２０ａと共にストラップ接続部２３ａ方向に引っ張られる。両上辺補強布２９ａ・２９ｂの下端部分２９ｃ・２９ｄは反対側の胸元側端部Ｐ２の近傍部分５１に縫着されているので、正面視で左の上辺補強布２９ａは右のブラジャーカップ１の胸元側端部Ｐ２を左斜め上方向に引っ張り、右の上辺補強布２９ｂは左のブラジャーカップ１の胸元側端部Ｐ２を反対側の右斜め上方向に引っ張る。
【００５８】  これにより、婦人下着Ａの着用時、上辺補強布２９ａ（２９ｂ）に働く左右の肩方向への吊り上げ力の合成力は、カップ連結布５０の下辺２９ｎを上に持ち上げることになり、カップ連結布５０のブラジャーカップ１のカップ持ち上げ効果を補強すると同時に、左右のカップ被覆布２０及び左右のブラジャーカップ１の開きが抑制され、丸く形成されたバストＢの谷間の露出が抑制される。なお、図８（ａ）に示す四角で囲まれた部分はリフトアップ布４０の編み目を示し、図１１に示す四角で囲まれた部分はカップ被覆布２０の編み目を示す。
【符号の説明】
【００５９】  Ａ：婦人下着、Ａ１：第１実施例のブラジャー、Ａ１’：キャミソール、Ａ１’’：第１実施例のブラジャーの変形形態１、Ａ２：第２実施例のブラジャー、Ｂ：バスト、Ｋ：トップ位置、Ｐ：最下点、Ｐ１：脇側端部、Ｐ２：胸元側端部、Ｐ３：側辺の上端、Ｐ４：側辺の上端から１／３の地点、Ｑ：点（下側縫着点）、Ｒ：脇刳中間位置、Ｓ：上側縫着点、Ｖ：バージスライン、１：ブラジャーカップ、１ａ：表面層、１ｂ：中層、１ｃ：裏面層、１ｄ：下半分、１ｅ：上半分、２：下辺、３：上辺、４：側辺、４ａ：近傍部分、５：前面部、７：背面部、１０：土台布、１１・１２：サイドベルト、１１ａ：係止部材、１２ａ：被係止部材、１３：縫着辺、１４：カップ支持部、１５：前身頃、１５ａ：上辺、１６：側縁、１７：後身頃、２０：カップ被覆布、２０ａ：被覆布本体、２１：カップ被覆布の上辺、２１ａ：被覆布本体の上辺、２２：下縁、２２ａ：袖刳り側端部、２２ｂ：連結端部、２３：上側パーツ、２３ａ：ストラップ接続部、２４：下側パーツ、２５：袖刳り、２５ａ：脇刳りの一部を構成する辺、２８：テープ、２９・２９ａ・２９ｂ：上辺補強布、２９ｃ・２９ｄ：下端部分、２９ｋ：重ね合わせ部分、２９ｎ：重ね合わせ下辺、３０：ストラップ、４０：リフトアップ布、４１：脇側上端、４２：リフトアップ布の下辺、４２ａ：胸元側端部、４３：上辺、４５：脇刳り構成辺、５０：カップ連結布、５１：近傍部分、５２：山形部分、１００：ブラジャー、１１０：ブラジャーカップ、１１５：ストラップ、１３０：パッド、１３１：パッドの下辺、１３１ａ：下辺の縫着端、１３２：パッドの脇側上部、１３３：パッドの上辺、１３４：下半分、１３５：上半分、１４０：土台布、２００：ブラジャー、２１０：ブラジャーカップ、２１１：ブラジャーカップの下辺、２１５：ストラップ、２２０：リフトアップ片、２２１：リフトアップ片の下辺、２２２：リフトアップ片の脇側上部、２２３：パッド挿入ポケット、２３０：パッド。
【要約】  どのような体の動きに対してもバストを収納するブラジャーカップのずり上がりや、ブラジャーカップからのバストのはみ出しのない婦人下着を提供する。  ブラジャーカップ（１）を有する婦人下着（Ａ）は、ブラジャーカップ（１）、カップ被覆布（２０）、土台布（１０）、サイドベルト（１１）・（１２）、及びストラップ（３０）とで構成されている。カップ被覆布（２０）は、ブラジャーカップ（１）の表面から分離してこれを覆うように配設され、ブラジャーカップ（１）の下辺（２）だけが、その下縁（２２）に縫着されている。【図１】
0006387212.tif 000002
【図２】
0006387212.tif 000003
【図３】
0006387212.tif 000004
【図４】
0006387212.tif 000005
【図５】
0006387212.tif 000006
【図６】
0006387212.tif 000007
【図７】
0006387212.tif 000008
【図８】
0006387212.tif 000009
【図９】
0006387212.tif 000010
【図１０】
0006387212.tif 000011
【図１１】
0006387212.tif 000012
【図１２】
0006387212.tif 000013
【図１３】
0006387212.tif 000014
【図１４】
0006387212.tif 000015
【図１５】
0006387212.tif 000016
【図１６】
0006387212.tif 000017
【図１７】
0006387212.tif 000018
【図１８】
0006387212.tif 000019
【図１９】
0006387212.tif 000020